【事件の表示】
　特許第２９１００９２号「多機能シャワー」の請求項２に係る特許に対する特許異議の申立てについて、次のとおり決定する。
【結　論】
　訂正を認める。
　特許第２９１００９２号の請求項２に係る特許を維持する。
【理　由】
I．手続きの経緯
　本件特許第２９１００９２号の請求項１乃至３に係る発明についての出願は、平成１年１０月１９日に出願され、平成１１年４月９日にその特許の設定登録がなされ、その後、本件特許の請求項２に対して、小島憲二より特許異議の申立てがなされ、本件特許の請求項２に対して、取消理由通知がなされ、その指定期間内である平成１２年７月１０日に訂正請求がなされたものである。
　
II．訂正の適否についての判断
１．訂正の内容
（１）特許請求の範囲に関する訂正　
「【請求項２】切替ガイド孔多数を開穿すると共に回転自在とした切替散水ガイドと、切替散水ガイドの回動に連動して上下する切替弁体及び／又はシャワーヘッド吐水口部の上面に設けた切替ハンドルの回転操作により上下動する切替弁体と、切替弁体の上下動により開閉するシール部とを備え、開弁状態においては全てのガイド孔への水の流通を開放し、閉弁状態においては一部のガイド孔への水の流通を遮断することを特徴とする多機能シャワー。」を
「【請求項２】切替ガイド孔多数を開穿すると共に回転自在とした切替散水ガイドと、切替散水ガイドと対向するシャワーヘッド吐水口部の上面に設けた切替ハンドルの回転操作により上下動する切替弁体と、切替弁体の上下動により開閉するシール部とを備え、開弁状態においては全てのガイド孔への水の流通を開放し、閉弁状態においては一部のガイド孔への水の流通を遮断することを特徴とする多機能シャワー。」と訂正する。
（２）発明の詳細な説明に関する訂正
Ａ）特許公報第２頁４欄１３〜２０行の「また、請求項２では、・・・遮断するようにする。」を
「また、請求項２では、切替ガイド孔多数を開穿すると共に回転自在とした切替散水ガイドと、切替散水ガイドと対向するシャワーへツド吐水口部の上面に設けた切替ハンドルの回転操作により上下動する切替弁体と、切替弁体の上下動により開閉するシール部とを備え、開弁状態においては全てのガイド孔への水の流通を開放し、閉弁状態においては一部のガイド孔への水の流通を遮断するようにする。」と訂正する。
Ｂ）同公報第３頁５欄１〜４行の「また、請求項２の・・・切替増減される。」を
「また、請求項２の多機能シャワーにあっては、切替ハンドルの回転操作により切替弁体が上下動して、シールの切替が行なわれ、水を吐出する孔数が切替え増減される。」と訂正する。
Ｃ）同公報第３頁６欄２８行の「Ｕパッキン（２８）嵌着して、」を
「Ｕパッキン（２８）を嵌着して、」と訂正する。
Ｄ）同公報第３頁６欄３８行の「断面　型に」を
「断面上向きコ字型に」と訂正する。
Ｅ）同公報第６頁１１欄４〜５行の「切替散水ガイドの回転及び又は吐出口部上面のハンドル回転操作により、」を
「切替散水ガイドと対向する吐水口部上面のハンドルの回転操作により、」と訂正する。
２．訂正の目的の適否、新規事項の追加の有無及び拡張・変更の存否
　上記１．（１）の訂正は、切替弁体を「シャワーヘッド吐水口部の上面に設けた切替ハンドルの回転操作により上下動する切替弁体」と限定すると共に、切替散水ガイドとシャワーヘッド吐水口部の上面の位置を「対向する」との構成を付加して限定するものであり、特許請求の範囲を減縮するものと認められる。
　そして、上記の付加した構成要件は、同公報第３頁５欄１４〜３７行の「グリップ部（ａ）には吐水口部（ｂ）に近接する位置に、これをその軸に対して交差する方向に貫通するレバー装着孔（３）が開設されると共に該レバー装着孔（３）から吐水口部内腔（２）に通ずるスリット（４）が設けられており、上記レバー装着孔（３）を貫通して左右へ摺動自在に設けられる操作レバー（５）が吐水口部内腔（２）に配備される後述の切替散水ガイド（６）に、スリット（４）を挿通する作動片（７）を介して連係している。上記スリット（４）は作動片（７）が所定の角度、例えば30°移動できるだけの幅を有する。吐水口部（ｂ）は頂面を平らに切り欠いた半球状を呈し、前記グリップ部（ａ）の流路（１）に連絡する内腔（２）が下面に開口しており、この内腔（２）内には３柱の支柱（８）を同一円周上に垂設している。・・・スピンドル（10）はスピンドル装着口（９）にパッキン（13）を介して水密に装着されて内腔（２）内に垂下しており、その上端に切替ハンドル（14）を取着する一方、内腔（２）内においては後述の第１切替弁体（15）を螺着している。」の記載、及び第１、７図等の記載事項の範囲内にあるもの認められ、新規事項の追加に該当せず、また、実質上特許請求の範囲を拡張し、又は変更するものではないものと認められる。
　上記１．（２）のＡ）、Ｂ）、Ｅ）の訂正は、特許請求の範囲の上記１．（１）の訂正に伴って発明の詳細な説明の記載を整合させるものであり、明瞭でない記載の釈明に該当する。上記１．（２）のＣ）、Ｄ）の訂正は、単なる誤記の訂正に該当する。
３．独立特許要件の判断
（１）訂正明細書の請求項２に係る発明は、その特許請求の範囲の請求項２に記載された次のとおりのものと認める。
「【請求項２】切替ガイド孔多数を開穿すると共に回転自在とした切替散水ガイドと、切替散水ガイドと対向するシャワーヘッド吐水口部の上面に設けた切替ハンドルの回転操作により上下動する切替弁体と、切替弁体の上下動により開閉するシール部とを備え、開弁状態においては全てのガイド孔への水の流通を開放し、閉弁状態においては一部のガイド孔への水の流通を遮断することを特徴とする多機能シャワー。」
（２）引用刊行物記載の発明
　a）当審が通知した取消理由で引用した刊行物１（特開昭６４−１５１６６号公報：異議申立人が提出した甲第１号証）には、
「外筒中に内筒を収納し、内筒と外筒とは、調節操作部を介して、前後相対的に位置をずらすことができるように構成され、内筒先端は閉塞されており他端はホース接続部となり、又更に内筒の先端に近い部分の周側壁に透穴が穿孔され、外筒の周壁には複数個の放水用通路が形成されており各通路は、外筒の内周壁面に前後方向に形成した複数個の内管連通孔と連通するとともに同放水用通路は、外筒先端開口部に形成した各種放水形状機構と連通し、且又外筒内周壁面は先端は絞られており、閉塞された内筒先端外周部と弁構造となっていると共に内筒と外筒との位置のずれに応じ、先ず外筒内周壁先端部より所定放水形状の水が吐出し、且つ内筒の連通孔が外筒各内管連通孔と適宜連通し、所定放水形状の水の吐出が得られる構造を有することを特徴とする散水ノズル。」（公報第１頁特許請求の範囲）、
「ホース接続部３に袋ナット４を螺着しホースを接続し水道の蛇口を開けると共に適宜の機構を介して内部口６を開口し、更に適宜の機構を介して内部口６が開口されている状態に保持し調節操作部１４の操作により第３図、第９図に図示したようにノズル本体２０をやや後方に移動すれば水がノズル口２１よりキリ状になって噴出し、更にノズル本体２０を第４図、第１０図に図示したように後方に移動すればノズル口２１より直進状になって噴出し、又更にノズル本体２０を第５図、第１１図に図示したように後方に移動すれば第２流水間隔２５内に水が流入し直線孔３８、３８より扇状に噴出されるものである。更にノズル本体２１を第６図、第１２図に図示したように後退させればシャワー状に噴出されるものである。又更に第７図に記載した第１実施例ではノズル本体２１を後退させれば総ての開口部より流出するものであり、第１３図に図示した第２実施例では環状開口３４からのみ流出するものである。」（公報第２頁右上欄３行〜同頁左下欄４行）、及び
「ノズル本体２０は調節操作部１４の操作に基づき前後に移動するように形成すると共に第１透孔１６と第１，第２，第３，第４流水間隙２４，２５，２９，３６との連通遮断及びノズル口２１の開口、閉塞を行うように形成したものであり、且つノズル本体２０には周側壁１５の外周に摺接面４０を設け、第１実施例では第１透孔１６，１６・・・の両側に位置した第１パッキン４２，４２で第１流水間隙２４，第２流水間隙２５，第３流水間隙２９及び第４流水間隙３６との開口、閉塞を行うように設け、更に第１透孔１６，１６・・・と第４流水間隙３６との連通時には総ての流水間隙と連通するようにしたものであり、」（公報第２頁右下欄１８行〜第３頁左上欄１２行）の記載がある。
　これらの記載及び図面等を参酌すると、刊行物１には、
「先端に多孔板を配設するとともに調節操作部の回転操作によって回動すべく構成した外筒体と、調節操作部の回転操作により相対的に進退するノズル本体と、ノズル本体の相対的進退により開閉する第１パッキンとを備え、開弁状態においては全ての多孔板への水の流通を開放し、閉弁状態においては一部の多孔板への水の流通を遮断する散水用ノズル」が記載されているものと認められる。
　b）同刊行物２（実公昭５７−１７９６７号公報：異議申立人が提出した甲第２号証）には、
「回動ハンドル１５の操作により操作棒１４を反時計方向に回すと、ビン１６は長孔９の前部辺に沿って摺動しながらこれを前方に押し、自らは矢印Ａ方向に回る。その結果支持枠７が前方に押され、止水板６が通水部３ａの周縁部に圧接される。したがって多孔通水板３の通水可能な孔の数は周縁部の分だけ減ぜられる。またこの状態から回動ハンドル１５を時計方向に回すと、ピン１６は長孔９の後部辺に沿って摺動しながらこれを後方に押し、自らは矢印Ｂ方向に回る。この結果止水板６が後方に移動され、通水板３の通水可能な孔の数はもとの数に戻される。」（公報第２頁３欄５〜１６行）の記載があり、該記載と図面を参酌すると、刊行物２には、
「多孔通水板と、シャワーヘッド吐水口部の側面に設けた回転ハンドルの回転操作により上下動する支持枠と、支持枠の上下動により開閉する止水板とを備え、開弁状態においては全ての多孔通水板への水の流通を開放し、閉弁状態においては一部の多孔通水板への水の流通を遮断するシャワーヘッド」が記載されているものと認められる。　
（３）対比・判断
　訂正明細書の請求項２に係る発明と上記刊行物１に記載された発明を対比すると、後者の「多孔板」、「調節操作部の回転操作によって回動すべく構成した外筒体」、「相対的に進退するノズル本体」、「第１パッキン」、及び「散水用ノズル」は、機能に照らすとそれぞれ、前者の「切替ガイド孔」、「回転自在とした切替散水ガイド」、「上下動する切替弁体」、「シール部」、及び「多機能シャワー」に相当するので、両者は
「切替ガイド孔多数を開穿すると共に回転自在とした切替散水ガイドと、回転操作により上下動する切替弁体と、切替弁体の上下動により開閉するシール部とを備え、開弁状態においては全てのガイド孔への水の流通を開放し、閉弁状態においては一部のガイド孔への水の流通を遮断する多機能シャワー」の点で一致する。
  訂正明細書の請求項２に係る発明と上記刊行物２に記載された発明を対比すると、後者の「多孔通水板」、「回転ハンドル」、「支持枠」、「止水板」、及び「シャワーヘッド」は、機能に照らすとそれぞれ、前者の「切替ガイド孔」、「切替ハンドル」、「切替弁体」、「シール部」、及び「多機能シャワー」に相当するので、両者は
「切替ガイド孔多数を開穿すると共に、シャワーヘッド吐水口部に設けた切替ハンドルの回転操作により上下動する切替弁体と、切替弁体の上下動により開閉するシール部とを備え、開弁状態においては全てのガイド孔への水の流通を開放し、閉弁状態においては一部のガイド孔への水の流通を遮断する多機能シャワー」の点で一致する。
　しかしながら、上記刊行物１，２に記載された発明は、いずれも訂正明細書の請求項２に係る発明の構成に欠くことができない事項である「切替ガイド孔多数を開穿すると共に回転自在とした切替散水ガイドと、切替散水ガイドと対向するシャワーヘッド吐水口部の上面に設けた切替ハンドルの回転操作により上下動する切替弁体と、切替弁体の上下動により開閉するシール部とを備える」点が記載されていない。
  そして、訂正明細書の請求項２に係る発明は、上記構成により明細書及び特許異議意見書記載の効果を奏するものと認められる。
　したがって、訂正明細書の請求項２に係る発明は、上記刊行物１、２に記載の発明から当業者が容易に発明できたものとは認められない。
　４．むすび
　以上のとおりであるから、上記訂正請求は、特許法第１２０条の４第２項及び同条第３項で準用する第１２６条第２〜４項の規定に適合するので、当該訂正を認める。
　
III．特許異議申立てについての判断
１．本件発明
　本件特許の請求項２に係る発明は、訂正請求による訂正が認められるので、訂正請求書に添付した訂正明細書の請求項２に記載されたとおりのものと認める。
２．異議申立ての理由の概要
　これに対して、特許異議申立人小島憲二は、証拠として、甲第１号証（特開昭６４−１５１６６号公報）及び甲第２号証（実公昭５７−１７９６７号公報）を提出し、訂正前の請求項２に係る発明は、甲第１、２号証に記載された各発明に基づいて、その発明の属する技術の分野における通常の知識を有する者が容易に発明をすることができたものであるから、特許法第２９条第２項の規定により特許を受けることができないものであり、特許法第１１３条第２項の規定により取り消されるべきである旨主張している。
３．当審の判断
　訂正明細書の請求項２に係る発明は、上記II．３．（３）で示したように、特許異議申立人小島憲二が提出した各刊行物に記載された発明から容易に発明をすることができたものとすることはできない。
４．むすび
　以上のとおりであるから、訂正明細書の請求項２に係る発明の特許は、特許異議申立人が主張する理由及び提出した証拠によっては取り消すことはできない。　また、他に訂正明細書の請求項２に係る発明の特許を取り消すべき理由を発見しない。
　よって、結論のとおり決定する。　　
【異議決定日】
平成１２年９月２９日（２０００．９．２９）
【訂正の要旨】
１．訂正の要旨
（１）特許請求の範囲の減縮を目的として、特許請求の範囲「【請求項２】切替ガイド孔多数を開穿すると共に回転自在とした切替散水ガイドと、切替散水ガイドの回動に連動して上下する切替弁体及び／又はシャワーヘッド吐水口部の上面に設けた切替ハンドルの回転操作により上下動する切替弁体と、切替弁体の上下動により開閉するシール部とを備え、開弁状態においては全てのガイド孔への水の流通を開放し、閉弁状態においては一部のガイド孔への水の流通を遮断することを特徴とする多機能シャワー。」を
「【請求項２】切替ガイド孔多数を開穿すると共に回転自在とした切替散水ガイドと、切替散水ガイドと対向するシャワーヘッド吐水口部の上面に設けた切替ハンドルの回転操作により上下動する切替弁体と、切替弁体の上下動により開閉するシール部とを備え、開弁状態においては全てのガイド孔への水の流通を開放し、閉弁状態においては一部のガイド孔への水の流通を遮断することを特徴とする多機能シャワー。」と訂正する。
（２）明瞭でない記載の釈明を目的として、特許第２９１００９２号公報第２頁４欄１３〜２０行の「また、請求項２では、・・・遮断するようにする。」を
「また、請求項２では、切替ガイド孔多数を開穿すると共に回転自在とした切替散水ガイドと、切替散水ガイドと対向するシャワーヘツド吐水口部の上面に設けた切替ハンドルの回転操作により上下動する切替弁体と、切替弁体の上下動により開閉するシール部とを備え、開弁状態においては全てのガイド孔への水の流通を開放し、閉弁状態においては一部のガイド孔への水の流通を遮断するようにする。」と訂正する。
（３）明瞭でない記載の釈明を目的として、同公報第３頁５欄１〜４行の「また、請求項２の・・・切替増減される。」を
「また、請求項２の多機能シャワーにあっては、切替ハンドルの回転操作により切替弁体が上下動して、シールの切替が行なわれ、水を吐出する孔数が切替え増減される。」と訂正する。
（４）誤記の訂正を目的として、同公報第３頁６欄２８行の「Ｕパッキン（２８）嵌着して、」を
「Ｕパッキン（２８）を嵌着して、」と訂正する。
（５）誤記の訂正を目的として、同公報第３頁６欄３８行の「断面　型に」を「断面上向きコ字型に」と訂正する。
（６）明瞭でない記載の釈明を目的として、同公報、第６頁１１欄４〜５行の「切替散水ガイドの回転及び又は吐出口部上面のハンドル回転操作により、」を
「切替散水ガイドと対向する吐水口部上面のハンドルの回転操作により、」と訂正する。
（５４）【発明の名称】
多機能シャワー
（５７）【特許請求の範囲】
（１）切替散水ガイドと、カムと、切替弁体を備えた多機能シャワーであって、切替散水ガイドにカムを連動させ、カムの作動により切替弁体を上下に切り替えることにより、流域を拡張または縮小させることを特徴とする多機能シャワー。
（２）切替ガイド孔多数を開穿すると共に回転自在とした切替散水ガイドと、
切替散水ガイドと対向するシャワーヘッド吐水口部の上面に設けた切替ハンドルの回転操作により上下動する切替弁体と、
（３）散水用のガイド孔多数を開穿してシャワーヘッド吐水口部の開口部に装着した散水ガイドと、切替ガイド孔多数を開穿すると共にそのうちのいくつかを網で覆い、上記散水ガイド上に重ねて回転自在に設け、その回転範囲の一方においては網で覆った切替ガイド孔が前記ガイド孔の一部に対応し、回転範囲の他方においては網で覆っていない切替ガイド孔が前記ガイド孔の全てに対応する切替散水ガイドと、二重リング状に組み合わされて切替散水ガイド上方に設けられ、その一方が吐水口部上面に設けたハンドルの回転操作により上下動し、他方が切替散水ガイドの回転により上下動する第１，第２切替弁体と、上記第１，第２切替弁体と切替散水ガイドとの間に設けられ、第１切替弁体に対応するシール部と第２切替弁体に対応する二重リング状のシール部とを備え、上記第１，第２切替弁体の上下動により夫々シール部を開閉し、第１切替弁体に対応するシール部の開状態においては全てのガイド孔への水の流通を開放し、閉状態においては一部のガイド孔への水の流通を遮断するし、第２切替弁体に対応するシール部の開状態においては前記第１切替弁体とそれに対応するシール部により開放された全てのガイド孔への水の流通を開放し、閉状態においては第１切替弁体により遮断される範囲とは違う範囲のガイド孔への水の流通のみを遮断することを特徴とする多機能シャワー。
【発明の詳細な説明】
　（産業上の利用分野）
　本発明は多機能シャワー、即ち２つ以上の機能を有するシャワーに関する。
　（従来の技術）
　従来、多機能シャワーとしては通常のノーマルシャワーとしての機能と、吐出水に気泡を混入して水の当りを柔かくした泡沫シャワーの機能を備え、これを切替操作により選択して使用するようにしたものが知られているが、上記従来のものは流線の数を変えることなくノーマルシャワーと泡沫シャワーを切替えている。
　ところが、泡沫シャワーは空気を吸い込んで流水に混入させる必要上吐出水の流速が速くなければならず、そのために流線の数を少なくしなければならない。
　一般に泡沫シャワーのシャワー流線の数は、流線の太さ、泡による拡がり、等を考えると通常のノーマルシャワーの流線の数の１／３以下であっても使用上問題がないが、このシャワー流線数を変えることなくノーマルシャワーに使用する場合、流速は強すぎるし、吐出水量の量感も乏しく、満足できる使用感が得られない。
　即ち、ノーマルシャワーも泡沫シャワーも同じ数のシャワー流線で行う上記従来の多機能シャワーはノーマルシャワー時の使用感に問題がある。一方、シャワー流線の数を吐水部下端に設けられた切替スイッチを上下に切替えることにより切替えるようにしたシャワーも既に知られてはいるが、これは主として夏場，冬場における給湯機の能力変動に対応してノーマルシャワーのシャワー流線数を切替えるものであって、シャワー機能の切替えにより、その機能に適したシャワー流線数に切替えることができるものではない。また、シャワーを浴びながら流線数を切替えようとすると、一日持ち変える必要があり、操作性が悪かった。
　そして、現在の処、ノーマルシャワーと泡沫シャワーの切替が、それに適した流線数の切替を伴なってでき、更にノーマルシャワーにおけるシャワー流線数の切替もできるような多機能シャワーは存在しない。　
　（発明が解決しようとする課題）
　本発明は、従来技術が有する上記問題点に鑑みてなされたもので、その第１の目的はノーマルシャワーと泡沫シャワーの切替えが各シャワー状態に適したシャワー流線数の同時切替えを伴なってできるようにすることであり、また他の目的はノーマルシャワーにおけるシャワー流線数の２段階切替ができ、しかもシャワー流線数が多い状態でのノーマルシャワーと泡沫シャワーの切替や、シャワー流線数が少ない状態でのノーマルシャワーと泡沫シャワーの切替もできるようにすることである。
　（課題を達成するための手段）
　本発明の多機能シャワーは、上記目的を達成するために請求項１においては、切替散水ガイドと、カムと、切替弁体を備えた多機能シャワーであって、切替散水ガイドにカムを連動させ、カムの作動により切替弁体を下に切り替えることにより、流域を拡張または縮小させるようにする。
　また、請求項２では、切替ガイド孔多数を開穿すると共に回転自在とした切替散水ガイドと、
切替散水ガイドと対向するシャワーヘッド吐水口部の上面に設けた切替ハンドルの回転操作により上下動する切替弁体と、
　更に請求項３では、散水用のガイド孔多数を開穿してシャワーヘッド吐水口部の開口部に装着した散水ガイドと、切替ガイド孔多数を開穿すると共にそのうちのいくつかを網で覆い、上記散水ガイド上に重ねて回転自在に設け、その回転範囲の一方においては網で覆った切替ガイド孔が前記ガイド孔の一部に対応し、回転範囲の他方においては網で覆っていない切替ガイド孔が前記ガイド孔の全てに対応する切替散水ガイドと、二重リング状に組み合わされて切替散水ガイド上方に設けられ、その一方が吐水口部上面に設けたハンドルの回転操作により上下動し、他方が切替散水ガイドの回転により上下動する第１，第２切替弁体と、上記第１，第２切替弁体と切替散水ガイドとの間に設けられ、第１切替弁体に対応するシール部と第２切替弁体に対応する二重リング状のシール部とを備え、上記第１，第２切替弁体の上下動により夫々シール部を開閉し、第１切替弁体に対応するシール部の開状態においては全てのガイド孔への水の流通を開放し、閉状態においては一部のガイド孔への水の流通を遮断し、第２切替弁体に対応するシール部の開状態においては前記第１切替弁体とそれに対応するシール部により開放された全てのガイド孔への水の流通を開放し、閉状態においては第１切替弁体により遮断される範囲とは違う範囲のガイド孔への水の流通のみを遮断するようにする。
（作用）
　以上のように構成した請求項１の多機能シャワーにあっては、切替散水ガイドに連動して切替弁体の位置が上下に切り替えられることにより、流域が拡張または縮小され、それにより機能の切替、吐出流量の切替が可能となる。
　また、請求項２の
多機能シャワーにあっては、切替ハンドルの回転操作により
　更に、請求項３の多機能シャワーにあっては、切替弁体の二重構造により、請求項２の作用が行なわれる。
　（実施例）
　以下、本発明の一実施例を図に基づいて説明する。
　図中（Ａ）はシャワーヘッド本体でグリップ部（ａ）と該部（ａ）に連続して一体に形成された吐水口部（ｂ）とからなり、グリップ部（ａ）を軸方向に貫通する流路（１）が吐水口部（ｂ）の横断面円形の内腔（２）に連絡している。
　グリップ部（ａ）には吐水口部（ｂ）に近接する位置に、これをその軸に対して交差する方向に貫通するレバー装着孔（３）が開設されると共に該レバー装着孔（３）から吐水口部内腔（２）に通ずるスリット（４）が設けられており、上記レバー装着孔（３）を貫通して左右へ摺動自在に設けられる操作レバー（５）が吐水口部内腔（２）に配備される後述の切替散水ガイド（６）に、スリット（４）を挿通する作動片（７）を介して連係している。上記スリット（４）は作動片（７）が所定の角度、例えば３０°移動できるだけの幅を有する。
　吐水口部（ｂ）は頂面を平らに切り欠いた半球状を呈し、前記グリップ部（ａ）の流路（１）に連絡する内腔（２）が下面に開口しており、この内腔（２）内には３柱の支柱（８）を同一円周上に垂設している。
　また吐水口部（ｂ）には頂面中央にスピンドル装着口（９）が開設され、該スピンドル装着口（９）にスピンドル（１０）が回転自在に装着されると共に前記内腔（２）の開口部には散水ガイド（１１）が袋ナット状のカバー（１２）を介して取着されている。
　スピンドル（１０）はスピンドル装着口（９）にパッキン（１３）を介して水密に装着されて内腔（２）内に垂下しており、その上端に切替ハンドル（１４）を取着する一方、内腔（２）内においては後述の第１切替弁体（１５）を螺着している。
　スピンドル（１０）と切替ハンドル（１４）とはスプライン（１６）で係合し、かつ小ネジ（１７）で固定されており、スピンドル（１０）に設けたフランジ（１８）がスピンドル装着口（９）口縁に内腔（２）側から当接して上方への抜けを防止すると共に切替ハンドル（１４）の下端が吐水口部（ｂ）頂面に近接して下方への脱落を防止している。
　一方、前記散水ガイド（１１）は、円板状に形成され、その周面に沿って環状に突出した係出爪片（１９）を、吐水口部（ｂ）の内腔（２）の開口部に螺着したカバー（１２）の内周縁に係止して上記開口部を覆うように設けられている。
　この散水ガイド（１１）にはその中心及びそれを中心点とする４つの同芯円の円周上に第１ガイド孔（２０）乃至第７ガイド孔（２６）を開穿する。
　第１ガイド孔（２０）乃至第３ガイド孔（２２）は、第１ガイド孔（２０）が最も大きく、第３ガイド孔（２２）が最も小さな各々長孔状を、また第４ガイド孔（２３）は円孔状を夫々呈し、第１ガイド孔（２０）が最外側の円周上に、第２ガイド孔（２１）がその内側隣りの円周上に開設されると共に第３ガイド孔（２２）及び第４ガイド孔（２３）が更にその内側隣りの円周上に交互に開設されて相互に千鳥状に配置されている。
　第５ガイド孔（２４）乃至第７ガイド孔（２６）は第５ガイド孔（２４）が上記第４ガイド孔（２３）より大径の、また第６ガイド孔（２５）及び第７ガイド孔（２６）が第４ガイド孔（２３）と同径の各々円孔状を呈し、第５及び第６ガイド孔（２４）（２５）が最内側の円周上に交互に開設され、第７ガイド孔（２６）が散水ガイド（１１）の中心に開設されている。
　そして、上記第５ガイド孔（２４）は散水ガイド（１１）中心と第４ガイド孔（２３）中心を結ぶ線上に配置され、第６ガイド孔（２５）は散水ガイド（１１）中心と第３ガイド孔（２２）を結ぶ線上に配置されている。
　また、長孔状の第１ガイド（２０）、第３ガイド（２２）の両端と、散水ガイド（１１）の中心とを結んでいる面は、略扇状を呈し、その領域内に第６ガイド（２５）が配置される。
　前記スピンドル（１０）に螺着する第１切替弁体（１５）は、円板の周縁に周壁（２７）を垂設してなり、該周壁（２７）外周面に
Ｕパッキン（２８）を嵌着して、
　従って、この第１切替弁体（１５）はスピンドル（１０）の回転に伴う回転が支柱（８）により防止され、スピンドル（１０）の回転により上下進退する。
　散水板（２９）は周壁（３２）を起設して
断面上向きコ字型に
　散水板（２９）の中央部にはブッシュ係合筒部（３５）が上下突出状に形成されており、該ブッシュ係合筒部（３５）の下端開口縁には内方へ突出する環状のブッシュ受け（３６）が設けられ、上端開口縁の一部には第２切替弁体係合片（３７）が延設されている。
　また、散水板（２９）はブッシュ係合筒部（３５）と周壁（３２）との間に３条の環状段部（３８）（３９）（４０）が同芯円状に設けられており、周壁（３２）に連続して形成された最外側の段部（第１段部という）（３８）には１グループ３個の小孔からなる第１散水孔（４１）が周方向全周に亘って開穿され、上記第１段部（３８）とその内側隣りの段部（第２段部という）（３９）との間及び該第２段部（３９）と最内側の段部（第３段部という）（４０）の間には夫々１グループ２個の小孔からなる第２散水孔（４２）、第３散水孔（４３）が夫々開穿され、更に第３段部（４０）とブッシュ係合筒部（３５）との間には１グループ１個の小孔からなる第４散水孔（４４）が開穿されている。
　そして、上記第１散水孔（４１）は散水ガイド（１１）の第１ガイド孔（２０）に、第２散水孔（４２）は第２ガイド孔（２１）に、第３散水孔（４３）は第３ガイド孔（２２）に、第４散水孔（４４）は第５ガイド孔（２４）に夫々対応している。
　また、第１散水孔（４１）以外の第２，第３，第４の各散水孔（４２）（４３）（４４）は各段部（３８）（３９）（４０）と同じ高さの仕切壁（図示せず）によりグループ毎に区画されており、更に第４散水孔（４４）を区画する仕切壁上にはブッシュ係合筒部（３５）から放射状に延びるリブ状突片（４５）が延設されており、このリブ状突片（４５）の先端を結ぶ円の径は後述の弁座パッキン（３４）の内径に一致している。
　弁座パッキン（３４）は金属性の補強板をゴムで被覆したもので、上記散水板（２９）のリブ状突片（４５）の先端を結ぶ円と同径の内径と散水板（２９）の第１散水孔（４１）を結ぶ円より小径で第１段部（３８）内径より大径な外径を有する環状の平板に形成され、散水板（２９）内に嵌め込み設置されてその下面を散水板（２９）の第１段部（３８）及び第２段部（３９）に密接している。
　弁座パッキン（３４）には散水板（２９）の第１段部（３８）、第２段部（３９）と密接して該部をシールするために上記各段部（３８）（３９）に対応する環状の突条（４６）（４７）が下面に設けられている。　また弁座パッキン（３４）上面には第１切替弁体（１５）の周壁（２７）下端面に対応する切替用第１環状突条（４８）と第２切替弁体（３０）に対応する切替用第２環状突条（４９）が設けられている。
　上記弁座パッキン（３４）下面側の２本の環状突条（４６）（４７）と上面側の２本の切替用環状突条（４８）（４９）とは上下相対位置にあり、これら突条（４６）（４７）（４８）（４９）の間には弁座パッキン（３４）を貫通する第１，第２通孔（５０）（５１）が各々適宜開穿されている。
　一方前述の第２切替弁体（３０）は、周壁（５２）を起設して断面凹型に形成した円盤の中央部に下方へ突出する円柱状突部（５３）を設けてあり、周壁（５２）外周に嵌着したＵパッキン（５４）を介して第１切替弁体（１５）内に水密に嵌着されて円柱状突部（５３）を散水板（２９）のブッシュ係合筒部（３５）に挿入している。
　上記ブッシュ係合筒部（３５）には後述の切替散水ガイド（６）に係合するブッシュ（５５）が内装されており、このブッシュ（５５）と前記円柱状突部（３５）とが傾斜カム（５６）により連係している。傾斜カム（５６）は円柱状突出部（３５）周面に設けた雌側（５６ａ）と、ブッシュ（５５）に突出形成されて上記雌側（５６ａ）に嵌合する雄側（５６ｂ）とからなり両者（５６ａ）（５６ｂ）には相互に対応する傾斜面（５６ａ’）（５６ｂ’）が形成されている。
　また第２切替弁体（３０）には、適宜２次通水孔（５７）が開設されており、それらはいずれもその外縁が弁座パッキン（３４）上面の切替用第２環状突条（４９）に対応する位置より内方に位置している。
　上記２次通水孔（５７）の１つは散水板（２９）の第２切替弁体係合片（３７）と係合して、第２切替弁体（３０）を所定の位置に固定し、支柱挿通孔（５７’）は第１切替弁体（１５）を挿通して延びる支柱（８）の下端部を遊嵌している。
　従って、上記第２切替弁体（３０）は回転不能となっている。
　ブッシュ（５５）は散水板（２９）のブッシュ係合筒部（３５）にＶパッキン（５８）を介して水密かつ摺動自在に嵌合してブッシュ受け（３６）に支承されており、上面には前記傾斜カム（５６）の雄側（５６ｂ）が突出形成され、下面には雌スプライン（５９）を有する切替散水ガイド係合突部（６０）が形成されている。
　そして、上記切替散水ガイド係合突部（６０）がブッシュ係合筒部（３５）を挿通して下方へ延び、その雌スプライン（５９）が後述の切替散水ガイド（６）上面中央に突出形成した雄スプライン（６１）に係合する。
　切替散水ガイド（６）は円盤よりなり、吐水口部内腔（２）に嵌め込まれて散水板（２９）下面に近接状に配置されると共に内腔（２）開口部に取着された前述の散水ガイド（１１）と内腔（２）周面の段部（６２）とにより回動自在に挾持されている。
　上記切替散水ガイド（６）の周面にはレバー係合部（６３）とストッパーガイド（６４）が切欠き凹設されており、レバー係合部（６３）には前述の操作レバー（５）の作動片（７）が係合する。
　即ち、切替散水ガイド（６）は操作レバー（５）の操作により作動片（７）の移動角度だけ回転するようになっている。
　従って、この切替散水ガイド（６）に雌雄のスプライン（５９）（６１）を介して連絡するブッシュ（５５）も回転し、該ブッシュ（５５）に傾斜カム（５６）により連係する第２切替弁体（３０）が昇降する。
　第２切替弁体（３０）は降下位置において弁座パッキン（３４）の切替用第２環状突条（４９）に密接するようになっている。
　ここで、ブッシュ（５５）と切替散水ガイド（６）を一体とした場合、吐水時のシャワーヘッド内部水圧を切替散水ガイド（６）が受けてしまうため、それによって操作レバー（５）の操作が重くなる。そのため、実施例のような構造をとるようにしている。
　尚、上記第２切替弁体（３０）はスピンドル（１０）との間に弾装したバネ（６６）により降下位置方向に付勢されている。
　一方前記切替散水ガイド（６）には第１切替ガイド孔（６７）乃至第６切替ガイド孔（７２）を、該切替散水ガイド（６）が回転位置の一方にあるときには、散水ガイド（１１）の第１ガイド孔（２０）乃至第６ガイド孔（２５）に各々対応し、回転位置の他方にあるときには第１切替ガイド孔（６７）及び第２切替ガイド孔（６８）が前記対応していた第１，第２ガイド孔（２０）（２１）の隣りの第１，第２ガイド孔（２０）（２１）に対応すると共に第３切替ガイド孔（６９）が第４ガイド孔（２３）に、第４切替ガイド孔（７０）が第３ガイド孔（２２）に、第５切替ガイド孔（７１）が第６ガイド孔（２５）に、第６切替ガイド孔（７２）が第５ガイド孔（２４）に夫々対応するように開穿されている。
　上記第１切替ガイド孔（６７）乃至第３切替ガイド孔（６９）は第１ガイド孔（２０）乃至第３ガイド孔（２２）と同一形状，同一大きさに形成されているが、第４切替ガイド孔（７０）は第３切替ガイド孔（６９）と同じ形状，大きさに形成され、第５切替ガイド孔（７１）は円孔ではあるが第６ガイド孔（２５）より僅かに大径に形成されており、更に第６切替ガイド孔（７２）は第５切替ガイド孔（７１）より若干大径の円孔に形成されている。
　そして、この切替散水ガイド（６）にはその上下両面に上記第４及び第６切替ガイド孔（７０）（７２）を覆うように網（７３）（７４）が貼ってある。　而して、斯るシャワーヘッドは、第１図の状態において、第１切替弁体（１５）は引き上げられた状態にあり、その下面と弁座パッキン（３４）の切替用第１環状突条（４８）とは離れている。一方、切替散水ガイド（６）は回転位置の一方に回転した状態にあり、第１切替ガイド孔（６７）乃至第６切替ガイド孔（７２）が夫々散水ガイド（１１）の第１ガイド孔（２０）乃至第６ガイド孔（２５）に対応していると共に、第２切替弁体（３０）が傾斜カム（５６）により上方へ持ち上げられて該弁座（３０）下面と弁座パッキン（３４）の切替用第２環状突条（４９）とが離れている。
　従って、この状態にあっては、流路（１）から内腔（２）内に流入した水は第１切替弁体（１５）の１次通水孔（３１）、第２切替弁体（３０）の２次通水孔（５７）、弁座パッキン（３４）の第１，第２通孔（５０）（５１）、散水板（２９）の全ての散水孔（４１〜４４）、切替散水ガイド（６）の全ての切替ガイド孔（６７〜７２）を経て、散水ガイド（１１）より通常のシャワー状に吐出する。
　上記第１図の状態から操作レバー（５）を操作して切替散水ガイド（６）を回転位置の他方へ回転させると、第３図のように傾斜カム（５６）の雌側（５６ａ）が雄側（５６ｂ）の傾斜面に沿って滑り落ち、第２切替弁体（３０）が下降してその下面を弁座パッキン（３４）の切替用第２環状突条（４９）に密接して該突条（４９）外方への水の流れを止めると共に網（７３）（７４）で覆われた第４及び第６切替ガイド孔（７０）（７２）が夫々散水ガイド（１１）の第３及び第５ガイド孔（２２）（２４）に対応する。
　従って、第２切替弁体（３０）の２次通水孔（５７）を通過した水は、散水板（２９）の第３及び第４散水孔（４３）（４４）に集中し、この第３及び第４散水孔（４３）（４４）より勢いよく噴出し、網（７３）（７４）で覆われた第４，第６切替ガイド孔（７０）（７２）を通って散水ガイド（１１）の第３，第５ガイド孔（２２）（２４）から吐出する。
　このとき、第４散水孔（４４）からの噴出により、散水板（２９）と切替散水ガイド（６）間の第４，第６切替ガイド孔（７０）（７２）周辺が負圧になり、第４，第６ガイド孔（２３）（２５）より第３，第５切替ガイド孔（６９）（７１）を経て空気が吸引されるので、吐水は空気を巻き込んだ泡沫吐水となる。　また、この第３図の状態から切替ハンドル（１４）を回転して第４図のように第１切替弁体（１５）を下降させれば、その下面が弁座パッキン（３４）の切替用第１環状突条（４８）に密接して散水板（２９）の第１散水孔（４１）への通路が閉鎖されるが、既に第２切替弁体（３０）が切替用第２環状突条（４９）に密接して第１散水孔（４１）への水の流れを止めているので、吐水状態は第３図の状態と同じ泡沫シャワーとなる。
　更に第４図の状態において操作レバー（５）を操作し、再び切替散水ガイド（６）を回転させて、切替散水ガイド（６）の回転位置を第１図の位置に戻せば切替散水ガイド（６）の回転に伴い傾斜カム（５６）により第２切替弁体（３０）が第５図のように上方へ移動し、弁座パッキン（３４）の切替用第２環状突条（４９）から離れると共に第１乃至第６切替ガイド孔（６７〜７２）が第１乃至第６ガイド孔（２０〜２５）に対応する。
　従って、この状態では第１切替弁体（１５）が弁座パッキン（３４）の切替用第１環状突条（４８）に密接しているため第２切替弁体（３０）の２次通水孔（５７）を通過した水は弁座パッキン（３４）の第１，第２通孔（５０）（５１）を経て散水板（２９）の第２乃至第４散水孔（４２〜４４）、切替散水ガイド（６）の第２乃至第６切替ガイド孔（６８〜７２）を通り、散水ガイド（１１）の第２乃至第６ガイド孔（２１〜２５）からのみ通常のシャワー状に吐出し、散水板（２９）の第１散水孔（４１）から散水切替ガイド（６）の第１切替ガイド孔（６７）、散水ガイド（１１）の第１ガイド孔（２０）を経由する水の流れは止められる。
　（効果）
　　本発明は以上のように構成したので、以下に記載するような効果を奏することができる。
（１）請求項１について
　切替散水ガイドを操作すると、切替弁体の位置が上下に切り替えられて、流域が拡張または縮小するので、シャワー機能の切替に応じて、その切替えと同時に、切替えられた機能に適したシャワー流線数の切替えができる。
（２）請求項２について
　
切替散水ガイドと対向する吐水口部上面のハンドルの回転操作により、
　しかも、散水ガイドから吐出するシャワー流線数の切替変更を切替弁体と、この切替弁体と前記散水ガイドとの間に設けたシール部との接離により行うので、上記シール部と散水ガイドとの間に多機能シャワーとして必要な機能部を配備するためのスペースを確保することができる。
（３）請求項３について
ノーマルシャワーにおける流線数の切替及びノーマルシャワー、泡末シャワーの切替えの両方ができ、従って、シャワー流線数が多い状態でのノーマルシャワーから泡末シャワーへの切替やその逆の切替及びシャワー流線数が少ない状態でのノーマルシャワーから泡末シャワーへの切替が簡単にでき、使用状極めて便利である。
【図面の簡単な説明】
　第１図は本発明の一実施例を示す多機能シャワーの断面図で、大流量ノーマルシャワーとして使用する状態を示す。第２図は吐水口部の底面図で、一部切欠して示してある。第３図乃至第５図は作動状態を示す拡大断面図で第３図は大流量使用時における泡沫シャワー吐水状態、第４図は小流量ノーマルシャワーとして使用する状態、第５図は小流量使用時のノーマルシャワー吐水状態を夫々示してある。第６図は傾斜カムの拡大展開図、第７図は分解斜視図で一部切欠して示してある。
　Ａ：シャワーヘッド本体　　　ｂ：吐水口部
　２：内腔　　　　　　　　　　５：操作レバー
　６：切替散水ガイド　　　　　８：支柱
　１０：スピンドル　　　　　　１１：散水ガイド
　１４：切替ハンドル　　　　　１５：第１切替弁体（切替弁体）
　２０〜２５：ガイド孔　　　　３０：第２切替弁体（切替弁体）
　３４：弁座パッキン　　　　　４８：切替用第１環状突条（シール部）
　４９：切替用第２環状突条（シール部）
　５５：ブッシュ　　　　　　　５６：傾斜カム（カム）
　６７〜７２：切替ガイド孔　　７３，７４：網